(57)【要約】【課題】当該装置主導で画像不良に関するトラブルシュートを実行できるようにすると共に、当該装置に合わせて編集及び登録された画像不良解析モードで当該装置のトラブルシュートを実行できるようにする。【解決手段】所定の用紙に形成された画像の不具合を解析する動作を画像不良解析モードとしたとき、用紙に画像を形成する画像形成部８０と、画像不良解析モード実行時の画像解析データＤｘ＝ＣＦ＋ＤＰｘを登録するＮＶＲＡＭ３３と、このＮＶＲＡＭ３３から画像不良解析プログラムＤＰｘを受けて画像形成部８０の問題解決復旧処理を実行する制御部１５とを備えるものである。【選択図】    図２
2008058419.tif 000002
【特許請求の範囲】
【請求項１】
所定の用紙に形成された画像の不具合を解析する動作を画像不良解析モードとしたとき、
前記用紙に画像を形成する画像形成部と、
画像不良解析モード実行時の画像不良解析に関する情報を登録する登録部と、
前記登録部から画像不良解析に関する情報を受けて前記画像形成部の問題解決復旧処理を実行する制御部とを備えることを特徴とする画像形成装置。
【請求項２】
前記登録部は、
前記画像不良解析モード実行時の画像不良解析に関する情報と、画像不良の登録対象とを対応付けて記憶する記憶部と、
前記記憶部に対して画像不良解析に関する情報を編集及び／又は登録するように操作される入力部とを有することを特徴とする請求項１に記載の画像形成装置。
【請求項３】
前記画像不良解析モードに係る登録画面及び実行画面を表示する表示部を備えることを特徴とする請求項１に記載の画像形成装置。
【請求項４】
前記登録部に登録される画像不良解析に関する情報を受信するネットワーク接続可能な通信部を備え、
前記通信部を介して受信した画像不良解析に関する情報に基づいて前記登録部に登録される画像不良解析モード実行時の画像不良解析に関する情報を更新することを特徴とする請求項１に記載の画像形成装置。
【発明の詳細な説明】
【技術分野】
【０００１】
この発明は、画像不良解析機能を備えたカラープリンタやカラー複写機、これらのカラー複合機等に適用可能な画像形成装置に関するものである。
【背景技術】
【０００２】
近年、カラープリンタやカラー複写機、これらのカラー複合機等が使用される場合が多くなってきた。この種のカラー画像形成装置によれば、各作像色毎に画像形成ユニットを備え、イエロー（Ｙ）、マゼンタ（Ｍ）、シアン（Ｃ）、黒（ＢＫ）色等を中間転写ベルト上で重ね合わせて、原稿画像のＲ色、Ｇ色、Ｂ色を再現するようになされる。
【０００３】
カラー画像形成装置では、カラー画像の印字品質（色再現性）を最適に維持するために、画像形成ユニットを最適な状態に調整して、Ｙ、Ｍ、Ｃ及びＢＫの各色を再現性良く重ね合わせている。当該画像形成ユニットから出力された画像で不具合が検出された場合は、自己診断機能を利用して画像形成ユニットを最適な状態に復帰させるようにする。
【０００４】
この種の不具合チェック機能を備えたカラー複写機に関して、特許文献１には、複写装置が開示されている。この複写装置によれば、自己診断開始の指示と共に、画像印刷系で、所定の画像パターンを出力し、それを原稿画像読取系（スキャナ）で読む。他方で、所定の画像パターンに対応する基準画像パターンが記録されたチャート画像を原稿画像読取系に読み込ませ、両者の出力画像と比較して不具合を判別するようになされる。このように複写装置を構成すると、原稿画像読取系又は画像印刷系のどちらに不具合が発生しているかをチェックできるというものである。
【０００５】
特許文献２には、画像形成装置及びその自己診断方法が開示されている。この画像形成装置によれば、自己診断時、感光体ドラムの表面電位を測定すると共に、感光体ドラムの表面に付着したトナー濃度を検出し、電位検出結果とトナー濃度検出結果に基づいて演算装置が画質異常原因となっている部分を特定し、特定結果を表示部に出力するようになされる。このように画像形成装置を構成すると、画質異常が生じたとき、その異常原因を表示部に表示できるというものである。
【０００６】
特許文献３には、画像形成装置が開示されている。この画像形成装置によれば、自己診断モード時、画像メモリからテストパターン画像を読み出し、このテストパターン画像に基づいて画像形成系から紙出力し、紙出力されたテストパターン画像を原稿読取系でスキャンしてスキャンデータを得る。一方、テストパターン画像を形成するための画像データを画像メモリから読み出してスキャンデータと比較する。この比較結果に基づいて欠陥の有無及びその種類を判別し、不一致内容の記録条件（ボジション等）を変更するようになされる。このように画像形成装置を構成すると、画像欠陥が発生しない適切な記録条件を再設定できるというものである。
【０００７】
特許文献４には、画像プロセス装置及びその故障識別方法が開示されている。この画像プロセス装置によれば、故障識別時、帯電系、露光系、現像系及び清掃系等のプロセスモジュールを順次故障判定して不良箇所を特定するようになされる。このように画像プロセス装置を構成すると、不具合箇所を自動的に表示でき、効率良くトラブルシューティングを実現できるというものである。
【０００８】
【特許文献１】特開平０５−１１４９７０号公報（第３頁  図６）
【特許文献２】特開平０６−２６２８００号公報（第４頁  図４）
【特許文献３】特開平ｌｌ−１０９８０７号公報（第５頁  図３）
【特許文献４】特開平ｌ１−３３８３２２号公報（第６頁  図５）
【発明の開示】
【発明が解決しようとする課題】
【０００９】
ところで、従来例に係るカラー用の画像形成装置によれば、次のような問題がある。
【００１０】
ｉ．画質不具合に対する解決策に関しては、関連項目、調整対象が多岐に及ぶため、困難で問題解決に時間がかかるという問題がある。因みに、画質不良といっても、その種類によって、不良が検出しやすい画像、検出しにくい画像がある。より高画質を追求するユーザに関しては、軽微な濃度ムラやノイズも許容されず、これらを確実に抽出し、早期に解決するための高度なトラブルシュート及びそのデバッグ技術が要望されている。
【００１１】
こうした要望に対して、サービスマンは、トラブルシュートが記載されたメンテナンス冊子を参照しながら、画質不良解決に対処しているのが現状である。従って、複雑で熟練した技術で不具合原因（画像不良の要因）を特定していかなければならず、問題解決に時間がかかり、機械のダウンタイムが大きくなるおそれがある。
【００１２】
ii．特許文献１によれば、スキャナと基準チャートを用いた画像比較技術により、画質不良を検出しているが、デバッグ手順を示していないので、早期に画像形成系等を最適な状態に復帰させることができなくなる。
【００１３】
iii．特許文献２及び３によれば、画質不具合に対して、自己診断法により調整不良箇所を特定しているが、チェック手順に関して登録や編集等を行っていないので、詳細な画像不良についてその原因を特定することが困難となる。従って、新たな経験値（知）を取り込んだ、より柔軟性のあるトラブルシュートやデバック処理等を実施することができなくなる。
【００１４】
iv．特許文献４によれば、画像形成ユニットの不具合に関して、関連する個々のユニットに対して故障診断を実施し、あるいは一連の項目を連続的に実施しているが、検査順や検査項目を編集していないので、特許文献２及び３と同様な問題が生ずる。
【００１５】
そこで、この発明は上述した課題を解決したものであって、当該装置主導で画像不良に関するトラブルシュートを実行できるようにすると共に、当該装置に合わせて編集及び登録された画像不良解析モードで当該装置のトラブルシュートを実行できるようにした画像形成装置を提供することを目的とする。
【課題を解決するための手段】
【００１６】
上記課題を解決するために、請求項１に係る画像形成装置は、所定の用紙に形成された画像の不具合を解析する動作を画像不良解析モードとしたとき、用紙に画像を形成する画像形成部と、画像不良解析モード実行時の画像不良解析に関する情報を登録する登録部と、この登録部から画像不良解析に関する情報を受けて画像形成部の問題解決復旧処理を実行する制御部とを備えることを特徴とするものである。
【００１７】
請求項１に係る画像形成装置によれば、所定の用紙に形成された画像の不具合を解析する場合に、当該装置主導で画像不良に関するトラブルシュートを実行できるようになる。
【００１８】
請求項２に係る画像形成装置は、登録部が、画像不良解析モード実行時の画像不良解析に関する情報と、画像不良の登録対象とを対応付けて記憶する記憶部と、この記憶部に対して画像不良解析に関する情報を編集及び／又は登録するように操作される入力部とを有することを特徴とするものである。
【００１９】
請求項３に係る画像形成装置は、画像不良解析モードに係る登録画面及び実行画面を表示する表示部を備えることを特徴とするものである。
【００２０】
請求項４に係る画像形成装置は、登録部に登録される画像不良解析に関する情報を受信するネットワーク接続可能な通信部を備え、通信部を介して受信した画像不良解析に関する情報に基づいて登録部に登録される画像不良解析に関する情報を更新することを特徴とするものである。
【発明の効果】
【００２１】
請求項１に記載の画像形成装置によれば、所定の用紙に形成された画像の不具合を解析する場合に、画像不良解析に関する情報を処理する制御部を備え、画像不良解析モード実行時、登録部から画像不良の登録対象及び画像不良解析に関する情報を受けて画像形成部の問題解決復旧処理（トラブルシュート）を実行するものである。
【００２２】
この構成によって、画像不良解析モード実行時、当該装置主導で画像不良に関するトラブルシュートを実行できるようになる。従って、画像不良解析モード実行後も、継続して、当該装置に合わせて編集及び登録された画像不良解析モードで当該装置の画像不良に関するトラブルシュートを実行できるようになる。
【発明を実施するための最良の形態】
【００２３】
以下、図面を参照しながら、この発明に係る実施の形態としての画像形成装置について説明をする。
【００２４】
図１は、本発明に係る実施形態としてのカラー複写機１００の構成例を示す概念図である。
【００２５】
図１に示すカラー複写機１００は、画像形成装置の一例を構成し、画像不良解析機能を備え、当該複写機１００で形成された画像に不具合が検出されたとき、画像不良解析モードに基づいて画像不良を解析し問題解決復旧処理（修復処理）するものである。ここに画像不良解析モードとは、所定の用紙に形成された画像の不具合を解析する動作をいう。
【００２６】
カラー複写機１００は、複写機本体１０１とスキャナ部１０２とから構成される。スキャナ部１０２は複写機本体１０１の上部に配置され、自動原稿給紙装置２０１と原稿画像走査露光装置２０２から構成されている。自動原稿給紙装置２０１の原稿台上に載置された原稿ｄは、図示しない搬送手段により搬送され、原稿画像走査露光装置２０２の光学系により原稿の片面又は両面の画像が走査露光され、原稿画像を反映する入射光がラインイメージセンサＣＣＤにより読み込まれる。
【００２７】
ラインイメージセンサＣＣＤにより光電変換されたアナログ画像信号は、図示しない画像処理部において、アナログ処理、Ａ／Ｄ変換、シェーディング補正及び画像圧縮処理等がなされ、デジタルの画像情報となる。画像情報は画像形成部８０へ送られ、所定の用紙に画像を形成するようになされる。画像形成部８０はＹ，Ｍ，Ｃ，Ｋの各色毎に像担持体を有する複数組の画像形成ユニット１０Ｙ、１０Ｍ、１０Ｃ、１０Ｋと、無終端状の中間転写ベルト６と、再給紙機構（ＡＤＵ機構）を含む給紙搬送手段と、トナー像を定着するための定着装置１７とを備えている。
【００２８】
この例で、画像形成ユニット１０Ｙは、感光体ドラム１Ｙ、帯電器２Ｙ、書込みユニット３Ｙ、現像ユニット４Ｙ及び像形成体用のクリーニング手段８Ｙを有して、イエロー（Ｙ）色の画像を形成するようになされる。感光体ドラム１Ｙは像担持体の一例を構成し、例えば、中間転写ベルト６の右側上部に近接して回転自在に設けられ、Ｙ色のトナー像を形成するようになされる。この例で、感光体ドラム１Ｙは、図示しない駆動機構によって、反時計方向に回転される。感光体ドラム１Ｙの斜め右側下方には、帯電器２Ｙが設けられ、感光体ドラム１Ｙの表面を所定の電位に帯電するようになされる。
【００２９】
感光体ドラム１Ｙのほぼ真横には、これに対峙して、各々のレーザ光源及びポリゴンミラー３４を有した書込みユニット３Ｙが設けられ、事前に帯電された感光体ドラム１Ｙに対して、Ｙ色用の画像データに基づく所定の強度を有したＹ色用のレーザビーム光を走査するようになされる。
【００３０】
レーザビーム光は、例えば、Ｙ色用のポリゴンミラー３４を回転して偏向走査される、いわゆるＹ色画像データの主走査方向への書込みである。主走査方向は、感光体ドラム１Ｙの回転軸に平行する方向である。感光体ドラム１Ｙは、副走査方向に回転する。副走査方向は、感光体ドラム１Ｙの回転軸に対して直交する方向である。感光体ドラム１Ｙが副走査方向に回転し、かつ、レーザビーム光の主走査方向への偏向走査によって、感光体ドラム１ＹにはＹ色用の静電潜像が形成される。
【００３１】
書込みユニット３Ｙの上方には現像ユニット４Ｙが設けられ、感光体ドラム１Ｙに形成されたＹ色用の静電潜像を現像するように動作する。現像ユニット４Ｙは、図示しないＹ色用の現像ローラを有している。現像ユニット４Ｙには、Ｙ色用のトナー剤及びキャリアが収納されている。
【００３２】
Ｙ色用の現像ローラは、内部に磁石が配置され、現像ユニット４Ｙ内でキャリアとＹ色トナー剤を攪拌して得られる２成分現像剤を感光体ドラム１Ｙの対向部位に回転搬送し、Ｙ色のトナー剤により静電潜像を現像するようになされる。この感光体ドラム１Ｙに形成されたＹ色のトナー像は、１次転写ローラ７Ｙを動作させて中間転写ベルト６に転写される（１次転写）。感光体ドラム１Ｙの左側下方には、クリーニング部８Ｙが設けられ、前回の書込みで感光体ドラム１Ｙに残留したトナー剤を除去（クリーニング）するようになされる。
【００３３】
この例で、画像形成ユニット１０Ｙの下方には画像形成ユニット１０Ｍが設けられる。画像形成ユニット１０Ｍは、感光体ドラム１Ｍ、帯電器２Ｍ、書込みユニット３Ｍ、現像ユニット４Ｍ及び像形成体用のクリーニング部８Ｍを有して、マゼンタ（Ｍ）色の画像を形成するようになされる。画像形成ユニット１０Ｍの下方には画像形成ユニット１０Ｃが設けられる。画像形成ユニット１０Ｃは、感光体ドラム１Ｃ、帯電器２Ｃ、書込みユニット３Ｃ、現像ユニット４Ｃ及び像形成体用のクリーニング部８Ｃを有して、シアン（Ｃ）色の画像を形成するようになされる。
【００３４】
画像形成ユニット１０Ｃの下方には画像形成ユニット１０Ｋが設けられる。画像形成ユニット１０Ｋは、感光体ドラム１Ｋ、帯電器２Ｋ、書込みユニット３Ｋ、現像ユニット４Ｋ及び像形成体用のクリーニング部８Ｋを有して、ブラック（ＢＫ）色の画像を形成するようになされる。感光体ドラム１Ｙ，１Ｍ，１Ｃ，１Ｋには有機感光体（Organic Photo Conductor；ＯＰＣ）ドラムが使用される。
【００３５】
なお、画像形成ユニット１０Ｍ〜１０Ｋの各部材の機能については、画像形成ユニット１０Ｙの同じ符号のものについて、ＹをＭ、Ｃ、Ｋに読み替えることで適用できるので、その説明を省略する。上述の１次転写ローラ７Ｙ，７Ｍ，７Ｃ及び７Ｋには、使用するトナー剤と反対極性（本実施例においては正極性）の１次転写バイアス電圧が印加される。
【００３６】
中間転写ベルト６は、１次転写ローラ７Ｙ，７Ｍ，７Ｃ及び７Ｋによって転写されたトナー像を重合してカラートナー像（カラー画像）を形成する。例えば、中間転写ベルト６上に形成されたカラー画像は、中間転写ベルト６が時計方向に回転することで、２次転写ローラ７Ａに向けて搬送される。２次転写ローラ７Ａは中間転写ベルト６の下方に位置しており、中間転写ベルト６に形成されたカラートナー像を給紙部２０から搬送されてきた用紙Ｐに一括して転写するようになされる（２次転写）。
【００３７】
給紙部２０は、例えば、上述の書込みユニット３Ｋの下方に設けられ、給紙トレイ２０Ａ，２０Ｂ，２０Ｃを有して構成される。給紙トレイ２０Ａ，２０Ｂ，２０Ｃ内に収容された用紙Ｐは、給紙トレイ２０Ａ，２０Ｂ，２０Ｃにそれぞれ設けられる送り出しローラ２１及び給紙ローラ２２Ａにより給紙され、搬送ローラ２２Ｂ，２２Ｃ，２２Ｄ、レジストローラ２３等を経て、２次転写ローラ７Ａに搬送される。
【００３８】
２次転写ローラ７Ａの左側には定着装置１７が設けられ、カラー画像を転写された用紙Ｐを定着処理するようになされる。定着装置１７は、定着ローラ、加圧ローラ及び加熱（ＩＨ）ヒータを有している。定着処理は、加熱ヒータによって加熱される定着ローラ及び加圧ローラの間に用紙Ｐを通過させることで、当該用紙Ｐが加熱・加圧される。定着後の用紙Ｐは、排紙ローラ２４に挟持されて機外の排紙トレイ２５上に載置される。
【００３９】
この例で、中間転写ベルト６の左側上方にはクリーニング部８Ａが設けられ、転写後の中間転写ベルト６上に残存するトナー剤をクリーニングするように動作する。クリーニング部８Ａは、中間転写ベルト６の電荷を除電する除電部や中間転写ベルト６に残留するトナー等を除去するパッドを有している。このクリーニング部８Ａによってベルト面がクリーニングされ、除電部で除電された後の中間転写ベルト６は、次の画像形成サイクルに入る。これにより、用紙Ｐにカラー画像を形成できるようになる。
【００４０】
複写機本体１０１には制御部１５が備えられ、当該複写機１００で画像形成された用紙で画像不良が検出されたとき、画像不良解析モードに基づいて問題を解決し復旧処理するようになされる。
【００４１】
図２は、カラー複写機１００の制御系の内部構成例を示すブロック図である。図２に示すカラー複写機１００は、制御部１５、キー入力装置１６、表示パネル１８、通信モデム１９、画像処理部３１、ハードディスク装置（以下ＨＤＤ３２という）、ＮＶＲＡＭ３３（Non  Volatile  Random Access Memory：不揮発メモリ）、画像形成部８０及びスキャナ部１０２を有して構成される。
【００４２】
制御部１５は、システムバス５１を有している。システムバス５１には、例えば、ＲＯＭ（Read Only Memory）５３、ＲＡＭ（Random Access Memory）５４、ＣＰＵ（Central Processing Unit；中央処理ユニット）５５、画像処理部３１、ＨＤＤ３２及びＮＶＲＡＭ３３が接続される。
【００４３】
ＲＯＭ５３には当該複写機全体を制御するためのシステムプログラムデータＤｐが格納される。ＲＡＭ５４はワークメモリとして使用され、例えば、画像不良解析モード実行時の制御コマンド等を一時記憶するようになされる。ＣＰＵ５５は電源がオンされると、ＲＯＭ５３からＲＡＭ５４へシステムプログラムデータＤｐを読み出してシステムを起動し、キー入力装置１６からの操作データＤ１６に基づいて当該複写機全体を制御するようになされる。
【００４４】
ＣＰＵ５５にはＩ／Ｏインターフェース５２が接続される。Ｉ／Ｏインターフェース５２には、入力部の一例を構成するキー入力装置１６が接続され、ＮＶＲＡＭ３３に対して画像不良解析に関する情報（以下画像不良解析プログラムＤＰｘという）の編集及び／又は登録するように操作される。キー入力装置１６は、例えば、画像不良の登録対象（以下登録コードＣＦという）の選択、登録番号の選択、画像不良解析の項目番号を選択する際や、その画像不良解析内容の設定をする際に操作される。
【００４５】
ＮＶＲＡＭ３３は、記憶部の一例を構成し、画像解析データＤｘを格納する。画像解析データＤｘは画像不良解析モード実行時の画像不良対象を示す登録コードＣＦと画像不良解析プログラムＤＰｘから構成され、当該プログラムＤＰｘは処理手順に関する情報を含んでいる。登録コードＣＦと画像不良解析プログラムＤＰｘとはＮＶＲＡＭ３３等に対応付けて記憶される。
【００４６】
この例で、キー入力装置１６及びＮＶＲＡＭ３３は登録部の一例を構成し、少なくとも、画像不良解析モード登録時に、画像不良解析プログラムＤＰｘを複数登録するように操作される。
【００４７】
画像不良解析プログラムＤＰｘは、当該複写機１００内で画像不良が検出されたとき、その問題を解決し復旧処理するためのプログラムであって、当該複写機１００で検出された画像不良に係る登録コードＣＦに基づいて複写機内部で画像不良解析するためのプログラムである。
【００４８】
その内容は、画像不良解析プログラムＤＰｘに関するデータの登録を受け付けるステップと、当該複写機内の画像不良を検出し、又は、指定を受けて登録コードＣＦを出力するステップと、登録コードＣＦを入力して当該登録コードＣＦに対応する画像不良解析プログラムＤＰｘに関するデータをＮＶＲＡＭ３３から読み出し、この画像不良解析プログラムＤＰｘに関するデータに基づいて当該複写機１００の問題解決復旧処理を実行するステップとを記述したものである。
【００４９】
画像不良解析プログラムＤＰｘの格納先は、ＮＶＲＡＭ３３に限られることはなく、ＨＤＤ３２に格納してもよい。いずれの場合も、画像不良解析プログラムＤＰｘは、画像不良解析プログラムＤＰｘと登録コードＣＦとを対応付けて記憶される。ＨＤＤ３２には、通常の画像形成動作時に、原稿ｄを読み込んで得た画像データＤinが制御部１５を介して記録される他、画像不良解析登録時、画像不良解析用の専用（テスト）パターンを読み込んで得た画像データＤin’を記録するようにしてもよい。
【００５０】
編集及び／又は登録時、キー入力装置１６の操作によって得られる画像不良解析プログラムＤＰｘを作成するためのデータは、操作データＤ１６としてＣＰＵ５５に出力される。ユーザはキー入力装置１６を操作して、画像不良要因の相関情報を編集する。例えば、トラブルシュートの画像不良解析項目や、画像不良解析順序等を編集する。これは、効率良いデバッグ処理を実行できるようにするためである。
【００５１】
上述のシステムバス５１には、ＲＯＭ５３、ＲＡＭ５４及びＣＰＵ５５の他に画像処理部３１が接続され、ユーザが操作するキー入力装置１６から出力される操作データＤ１６に基づいて、画像不良要因の相関情報を編集する際に画像処理を実行する。例えば、画像不良解析モード登録画面や画像不良解析モード実行画面等の表示に必要な表示データＤ１８を作成する。
【００５２】
また、制御部１５は、画像不良解析モードの実行時、ユーザによって指定される登録コードＣＦを入力し、当該登録コードＣＦに対応する画像不良解析プログラムＤＰｘをＮＶＲＡＭ３３から読み出し、これを受信して画像形成部８０の問題解決復旧処理を実行する。
【００５３】
上述したキー入力装置１６は、編集及び／又は登録時に限られることはなく、用紙サイズや、給紙トレイ等の指定、印字濃度、複写枚数等の画像形成条件を設定する際にも操作される。これらの設定の際のデータも操作データＤ１６としてＣＰＵ５５に出力される。
【００５４】
上述の画像形成条件に基づいて画像を形成する画像形成部８０は、作像ユニット８１、作像駆動ユニット８２、レーザユニット８３及び紙搬送ユニット８４を有している。画像形成部８０は画像不良解析モード実行時、各種画像不良発生の有無を確認するための専用パターンを画像形成出力する。ここに専用パターンとは、画像不良解析用のパターンデータに基づいて所定の用紙に形成し出力される検査パターンをいう。パターンデータは、画像処理部内の図示しない不揮発メモリに格納され、画像不良解析モードの実行時に、画像形成部８０へ読み出される。
【００５５】
作像ユニット８１は、図１に示した各色用の感光体ドラム１Ｙや、１Ｍ、１Ｃ、１Ｋ、帯電器２Ｙ、２Ｍ、２Ｃ、２Ｋ、現像ユニット４Ｙ、４Ｍ、４Ｃ、４Ｋ、中間転写ベルト６、クリーニング手段８Ｙ、８Ｍ、８Ｃ、８Ｋ、定着装置１７等から構成される。帯電器２Ｙ、２Ｍ、２Ｃ、２Ｋに関連して、作像ユニット８１には、除電用のＬＥＤが設けられ、感光体ドラム１Ｙ等を除電するようになされる。作像ユニット８１は、作像制御信号Ｓ８１に基づいて動作する。作像制御信号Ｓ８１は、例えば、Ｉ／Ｏインターフェース５２を介してＣＰＵ５５から供給される。
【００５６】
図１に示した作像駆動ユニット８２は、作像ユニット８１を駆動するモータやクラッチ等から構成される。作像駆動ユニット８２は、作像駆動信号Ｓ８２に基づいて動作する。作像駆動信号Ｓ８２は、例えば、Ｉ／Ｏインターフェース５２を介してＣＰＵ５５から供給される。
【００５７】
レーザユニット８３は、図示しないレーザ光源や図１に示したポリゴンミラー３４を含む各色用の書込みユニット３Ｙ、３Ｍ、３Ｃ、３Ｋから構成される。レーザユニット８３は、レーザ駆動信号Ｓ８３に基づいて動作する。レーザ駆動信号Ｓ８３は、同様にして、例えば、Ｉ／Ｏインターフェース５２を介してＣＰＵ５５から供給される。
【００５８】
紙搬送ユニット８４は、図１に示した給紙トレイ２０Ａ，２０Ｂ，２０Ｃを含む給紙部２０を駆動するモータやクラッチ等から構成される。紙搬送ユニット８４は、紙搬送制御信号Ｓ８４に基づいて動作する。紙搬送制御信号Ｓ８４は、同様にして、Ｉ／Ｏインターフェース５２を介してＣＰＵ５５から供給される。
【００５９】
スキャナ部１０２は、原稿ｄを読み込んで得た画像データＤinを制御部１５を介してＨＤＤ３２に転送するようになされる。画像不良解析モードの実行時、スキャナ部１０２は、画像形成出力された専用パターンの画像を読み込んで得た画像データＤin’を制御部１５へ出力するようになされる。
【００６０】
制御部１５に設けられたＣＰＵ５５は、判別機能を有しており、スキャナ部１０２から画像データＤin’を入力して、画像不良発生の有無を判定したり、発生している画像不良の種類を識別したりする。
【００６１】
なお、Ｉ／Ｏインターフェース５２には、表示部の一例を構成する表示パネル１８が接続され、画像不良解析モード登録時又は画像不良解析モード実行時の各々の結果内容を表示するようになされる。例えば、表示パネル１８では表示データＤ１８に基づいて画像不良解析モード登録画面及び画像不良解析モード実行画面が表示される。画像不良解析モードの登録の目的は、未知の画像出力時に、画像不良が生じていた場合に、画像形成系の問題解決復旧処理を実行するためである。
【００６２】
画像不良解析モード実行画面には、ＣＰＵ５５で抽出された画像不良内容に関連する装置内負荷の特性等や、自己画像不良解析した結果が表示され、また、ＣＰＵ５５によって抽出された画像不良内容に応じた確認作業フローが表示される。表示データＤ１８は、画像不良解析登録時及び画像不良解析実行時に、Ｉ／Ｏインターフェース５２を介してＣＰＵ５５から供給される。表示パネル１８には例えば、タッチパネル及び液晶表示装置から構成され、ＧＵＩ（Ｇraphic  Ｕser  Ｉnterface）方式の操作パネルが使用される。表示パネル１８には各種アイコンキーが表示される。
【００６３】
更に、Ｉ／Ｏインターフェース５２には、通信部の一例を構成する通信モデム１９が接続される。通信モデム１９はネットワーク３９に接続可能となされ、外部の図示しないサーバから配信される画像解析データＤｘ’（新たな不良解析プログラムＤＰｘ等を含む）をネットワーク３９から受信する。ネットワーク３９には、インターネットや、公衆電話回線、専用通信回線が含まれる。
【００６４】
このようにすると、通信モデム１９を介して所定の拠点から最新の画像不良解析プログラムＤＰｘをダウンロードすることができる。通信モデム１９によってダウンロードされた画像不良解析プログラムＤＰｘは、ＮＶＲＡＭ３３に登録され、画像不良解析モードを書き換えるようになされる。
【００６５】
上述の制御部１５は、通信モデム１９を介して受信した画像不良解析プログラムＤＰｘをＮＶＲＡＭ３３に登録し、画像不良解析モードを更新する。このようなネットワーク接続されるカラー複写機１００に備えられた画像不良解析更新機能によって、更新された最新の画像不良解析プログラムＤＰｘでトラブルシュートを実行でき、効率良くデバッグ作業を実行できるようになる。これにより、画像不良解析に係るトラブルシュート（問題解決復旧処理）機能を備えたカラー複写機１００を構成できるようになる。
【００６６】
図３は、画像解析データＤｘの構成例を示すデータフォーマットである。図３に示すデータフォーマットによれば、画像解析データＤｘ（＝ＣＦ＋ＤＰｘ）は、ヘッダ領域とデータ領域が割り当てられる。ヘッダ領域には、登録コードＣＦが記述される。データ領域には画像不良解析プログラムＤＰｘを成すデータ（ＤＡＴＡ）が記述される。これは、画像不良の種類を示す登録コードＣＦと画像不良解析プログラムＤＰｘとが関連する作像ユニット８１や、作像駆動ユニット８２、レーザユニット８３、紙搬送ユニット８４等に対して、ＣＰＵ５５によって画像不良解析モードを実行できるようにするためである。
【００６７】
図４は、ＮＶＲＡＭ３３における画像解析データＤｘの格納例を示す図である。図４に示すデータ格納例によれば、登録コード及び画像不良解析プログラムＤＰｘの記述欄が設けられる。
【００６８】
例えば、登録コード「画像かすれ」に対応して画像不良解析プログラムＤＰｘを成すデータ＝「ＤＡＴＡ１１」が格納され、登録コード「濃度ムラ（縦）」に対応して同様にデータ＝「ＤＡＴＡ１２」が格納され、登録コード「濃度ムラ（横）」に対応して同様にデータ＝「ＤＡＴＡ１５」が格納され、登録コード「濃度傾き」に対応して同様にデータ＝「ＤＡＴＡ２１」が格納され、・・・・登録コード「筋ムラ（縦）」に対応して同様にデータ＝「ＤＡＴＡ２２」が格納され、登録コード「筋ムラ（横）」に対応して同様にデータ＝「ＤＡＴＡ２３」が格納され、登録コード「黒／色ぽち」に対応して同様にデータ＝「ＤＡＴＡ２４」が格納され、登録コード「地肌かぶり」に対応して同様にデータ＝「ＤＡＴＡ２５」が格納される。これにより、登録コードＣＦをアドレスにして画像不良解析プログラムＤＰｘを成すデータを読み出すことができる。
【００６９】
図５Ａ及びＢは、登録対象選択画面Ｐ１１及び登録項目選択画面Ｐ１２の表示例を示す図である。
【００７０】
図５Ａに示す登録対象選択画面Ｐ１１は、図２に示した表示パネル１８において、図示しないメニュー選択画面で「画像不良解析登録メニュー」を選択すると、当該表示パネル１８に表示されるものである。表示パネル１８ではキー入力用のアイコンが表示される。各種アイコンキーは表示パネル１８のタッチパネルによって実現される。各種アイコンキーに関してはキー入力装置１６を使用してもよい。
【００７１】
表示パネル１８において、登録対象選択画面Ｐ１１では、メッセージを表示する領域（以下メッセージ領域Ｉという）及びアイコンキーを表示する領域（以下キー入力領域IIという）が区分されて表示される。メッセージ領域Ｉには「画像不良解析モード登録  登録対象を選択してください。」のメッセージが表示される。キー入力領域IIにおいて、画面の左側には、登録コード「画像かすれ」のアイコンキーＫ１１、登録コード「濃度ムラ（縦）」のアイコンキーＫ１２、登録コード「濃度ムラ（横）」のアイコンキーＫ１３、登録コード「濃度傾き」のアイコンキーＫ１４が表示され、その右側には、登録コード「筋ムラ（縦）」のアイコンキーＫ１５、登録コード「筋ムラ（横）」のアイコンキーＫ１６、登録コード「黒／色ぽち」のアイコンキーＫ１７、登録コード「地肌かぶり」の各々のアイコンキーＫ１８が表示される。
【００７２】
これらのアイコンキーＫ１４やアイコンキーＫ１８の下方には、「前へ」のアイコンキーＫ１９及び「次へ」のアイコンキーＫ２０が表示される。アイコンキーＫ１９を押下（選択）すると、メニュー選択画面に表示が戻るようになされる。アイコンキーＫ２０を押下すると、登録対象選択画面Ｐ１１から下位の画面、例えば、登録項目選択画面Ｐ１２へ表示が更新するようになされる。
【００７３】
アイコンキーＫ１９の左隣には、「新規」のアイコンキーＫ２５が表示される。アイコンキーＫ２５を押下すると、登録対象選択画面Ｐ１１で「新規」の登録対象に係る登録コードＣＦを選択できるようになる。アイコンキーＫ２０の右隣には、「キャンセル」のアイコンキーＫ２９が表示される。アイコンキーＫ２９を押下すると、登録対象選択画面Ｐ１１で選択した登録コードＣＦを非選択状態に戻すようになされる。これにより、画像不良解析登録時、登録対象選択画面Ｐ１１で登録コードＣＦを選択又は非選択できるようになる。
【００７４】
図５Ｂに示す登録項目選択画面Ｐ１２は、例えば、図５Ａに示した登録対象選択画面Ｐ１１で登録コード「画像かすれ」のアイコンキーＫ１１を選択すると表示が切り替わる。登録項目選択画面Ｐ１２は図２に示した表示パネル１８に表示される。
【００７５】
登録項目選択画面Ｐ１２には、画像不良解析モード登録（画像かすれ）のメッセージ領域Ｉ及びキー入力領域IIとが区分されて表示される。メッセージ領域Ｉには「画像不良解析モード登録（画像かすれ）  項目番号を選択してください。」のメッセージが表示される。
【００７６】
この例で、キー入力領域IIにおいて、画面の左側の上から順に、「項目１」のアイコンキーＫ３１、「項目２」のアイコンキーＫ３２、「項目３」のアイコンキーＫ３３、「項目４」のアイコンキーＫ３４が各々表示される。アイコンキーＫ３１を押下すると、項目番号「１」が選択され、アイコンキーＫ３２を押下すると、項目番号「２」が選択され、アイコンキーＫ３３を押下すると、項目番号「３」が選択され、アイコンキーＫ３４を押下すると、項目番号「４」が選択されるようになる。
【００７７】
キー入力領域IIにおいては、画面の右側の上に、「ＯＫ」のアイコンキーＫ２８が表示される。アイコンキーＫ２８を押下すると、「項目番号」の選択を確定できるようになされる。これらのアイコンキーＫ３４等の下方には、登録対象選択画面Ｐ１１と同様にして、「前へ」のアイコンキーＫ１９及び「次へ」のアイコンキーＫ２０が表示される。これにより、画像不良解析モード登録時、登録項目選択画面Ｐ１２で項目番号を選択できるようになる。
【００７８】
図６Ａ及びＢは、画像かすれの画像不良解析選択（項目２）画面Ｐ２１及びその画像不良解析内容入力画面Ｐ２２の表示例を示す図である。
【００７９】
図６Ａに示す画像不良解析選択（項目２）画面Ｐ２１は、図５Ｂに示した登録項目選択画面Ｐ１２で項目番号「２」のアイコンキーＫ２２を選択し、「ＯＫ」のアイコンキーＫ２８を押下することにより表示が切り替わる。画像不良解析選択（項目２）画面Ｐ２１は、図２に示した表示パネル１８に表示される。
【００８０】
画像不良解析選択（項目２）画面Ｐ２１には、画像不良解析モード登録（画像かすれ）のメッセージ領域Ｉ及びキー入力領域IIとが区分されて表示される。メッセージ領域Ｉには「画像不良解析モード登録（画像かすれ）  項目２の内容を選択してください。」のメッセージが表示される。
【００８１】
キー入力領域IIにおいて画面の左側には、「種別」のアイコンキーＫ３５が表示される。その下方の入力内容表示領域IIIａには、入力項目が表示される。入力項目としては、「プルダウンメニュー」の文字情報と共に、「１．実行、２．メッセージ、３．判断（２分岐）、４．判断（３分岐）、・・・」が表示される。ユーザは「プルダウンメニュー」の中で、例えば、「１．実行」を選択する。この選択によって、「１．実行」の表示色が変化する。又は、カーソル線が併記される。
【００８２】
キー入力領域IIにおいて画面の中央には、「動作モード」のアイコンキーＫ３６が表示される。その下方の入力内容表示領域IIIｂには入力項目が表示される。入力項目としては、「プルダウンメニュー」の文字情報と共に、「１．パターンＡ出力、２．Ｔフレッシュ、３．Ｂリフレッシュ・・・」が表示される。ここでＴリフレッシュとはトナー・リフレッシュ処理をいい、Ｂリフレッシュとはバイアス・リフレッシュ処理をいう。
【００８３】
キー入力領域IIにおいて画面の右側には、「次工程」のアイコンキーＫ３７が表示される。その下方には、入力項目が表示される。入力項目は、「プルダウンメニュー」の文字情報と共に、「登録番号：−・・・」が表示される。
【００８４】
キー入力領域IIの下方には、「ＯＫ」のアイコンキーＫ２８及び「キャンセル」のアイコンキーＫ２９が表示される。アイコンキーＫ２８を押下すると、画像不良解析内容の入力項目を登録できるようになされる。アイコンキーＫ２９を押下すると、画像不良解析内容の入力項目を非登録（無効）とするようになされる。これにより、画像不良解析モード登録時、画像不良解析選択（項目２）画面Ｐ２１で「項目２」の画像不良の対象を登録できるようになる。
【００８５】
図６Ｂに示す画像不良解析内容入力画面Ｐ２２は、図６Ａに示した画像不良解析選択（項目２）画面Ｐ２１で「種別」の入力項目で「１．実行」が選択されていて、「次工程」のアイコンキーＫ３７を選択すると共に、「ＯＫ」のアイコンキーＫ２８を押下することにより表示が切り替わる。画像不良解析内容入力画面Ｐ２２は、図２に示した表示パネル１８に表示される。
【００８６】
画像不良解析（項目２）入力画面Ｐ２１には、画像不良解析モード登録（画像かすれ）のメッセージ領域Ｉ及びキー入力領域IIとが区分されて表示される。メッセージ領域Ｉには「画像不良解析モード登録（画像かすれ）  項目２の内容を選択してください。」のメッセージが表示される。
【００８７】
キー入力領域IIにおいて画面の左側には、「種別」のアイコンキーＫ３５が表示される。その下方の入力内容表示領域IIIａには、入力項目が表示される。入力項目としては、「プルダウンメニュー」の文字情報と共に、「１．実行、２．メッセージ、３．判断（２分岐）、４．判断（３分岐）、・・・」が表示される。ユーザは「プルダウンメニュー」の中で、例えば、「３．判断（３分岐）」を選択する。この選択によって、「３．判断（３分岐）」の表示色が変化する。又は、カーソル線が併記される。
【００８８】
キー入力領域IIにおいて画面の中央には、「次工程１（ｙｅｓ）」のアイコンキーＫ３７１が表示される。その下方の入力内容表示領域IIIｂには入力項目が表示される。入力項目としては、「プルダウンメニュー」の文字情報と共に、「登録番号：−・・・」が表示される。
【００８９】
キー入力領域IIにおいて画面の右側には、「次工程２（ｎｏ）」のアイコンキーＫ３７２が表示される。その下方には、入力項目が表示される。入力項目は、「プルダウンメニュー」の文字情報と共に、「登録番号：−・・・」が表示される。
【００９０】
キー入力領域IIの下方には、「ＯＫ」のアイコンキーＫ２８及び「キャンセル」のアイコンキーＫ２９が表示される。アイコンキーＫ２８を押下すると、画像不良解析内容の入力項目を登録できるようになされる。アイコンキーＫ２９を押下すると、画像不良解析内容の入力項目を非登録（無効）とするようになされる。これにより、画像不良解析モード登録時、画像不良解析選択（項目２）画面Ｐ２２で画像かすれ「項目２」の画像不良の対象に関して「次工程１（ｙｅｓ）」及び「次工程２（ｎｏ）」の分岐処理を登録できるようになる。
【００９１】
図７Ａ及びＢは、画像かすれの他の画像不良解析選択（項目２）画面Ｐ３１及び画像不良解析内容登録画面Ｐ３２の表示例を示す図である。
【００９２】
図７Ａに示す画像不良解析選択（項目２）画面Ｐ３１は、図５Ｂに示した登録項目選択画面Ｐ１２で項目番号「２」のアイコンキーＫ２２を選択し、「ＯＫ」のアイコンキーＫ２８を押下することにより表示が切り替わる。画像不良解析選択（項目２）画面Ｐ３１は、図２に示した表示パネル１８に表示される。
【００９３】
画像不良解析選択（項目２）画面Ｐ３１で、キー入力領域IIにおいて、ユーザが「種別」のアイコンキーＫ３５を押下し、その「プルダウンメニュー」の中で、例えば、「２．メッセージ」を選択する。この選択によって、「２．メッセージ」の表示色が変化する。又は、カーソル線が併記される。
【００９４】
キー入力領域IIにおいて画面の中央には、「メッセージ」のアイコンキーＫ２７が表示される。その下方の入力内容表示領域IIIｂには入力項目が表示される。入力項目としては、「プルダウンメニュー」の文字情報と共に、「メッセージ」が表示される。その他は、図６Ａに示した画像不良解析選択（項目２）画面Ｐ２１と同様である。これにより、画像不良解析モード登録時、画像不良解析選択（項目２）画面Ｐ３１で「項目２」の画像不良の対象に関してメッセージを登録できるようになる。
【００９５】
図７Ｂに示す画像不良解析内容登録画面Ｐ３２は、例えば、図７Ａに示した画像不良解析選択（項目２）画面Ｐ３１で「ＯＫ」のアイコンキーＫ２８を押下することにより表示が切り替わる。画像不良解析内容登録画面Ｐ３２は、図２に示した表示パネル１８に表示される。
【００９６】
画像不良解析内容登録画面Ｐ３２には、画像不良解析モード登録（画像かすれ−項目２）のメッセージ領域Ｉ及びキー入力領域IIとが区分されて表示される。メッセージ領域Ｉには「画像不良解析モード登録（画像かすれ−項目２）登録しました。」のメッセージが表示される。
【００９７】
キー入力領域IIにおいて画面の左側には、「種別」のアイコンキーＫ３５が表示される。その下方の入力内容表示領域IIIａには、入力項目が表示される。入力項目としては、「１．実行」が表示される。キー入力領域IIにおいて画面の中央には、「動作モード」のアイコンキーＫ３６が表示される。その下方の入力内容表示領域IIIｂには入力項目が表示される。入力項目としては、「１．パターンＡ出力」が表示される。キー入力領域IIにおいて画面の右側には、「次工程」のアイコンキーＫ３７が表示される。その下方には、入力項目が表示される。入力項目は、「項目２」が表示される。
【００９８】
キー入力領域IIの下方には、「次の登録」のアイコンキーＫ３０及び「完了」のアイコンキーＫ３８が表示される。アイコンキーＫ３０を押下すると、画像不良解析内容に関して次の登録ができるようになされる。アイコンキーＫ３８を押下すると、画像不良解析モード登録を終了するようになされる。これにより、画像不良解析モード登録時、画像不良解析選択（項目２）画面Ｐ３１で画像不良解析内容を全て登録できるようになる。
【００９９】
図８は、画像不良解析モード−画像かすれ−登録設定内容確認画面Ｐ４１の表示例を示す図である。
【０１００】
図８に示す登録設定内容確認画面Ｐ４１は、図７Ｂに示した画像不良解析内容登録画面Ｐ３２で、例えば、「完了」のアイコンキーＫ３８を押下すると表示が切り替わる。登録設定内容確認画面Ｐ４１は、図２に示した表示パネル１８に表示される。
【０１０１】
登録設定内容確認画面Ｐ４１では、メッセージ領域Ｉ、キー入力領域II及び設定内容表示領域IIIの３つに区分されて表示される。メッセージ領域Ｉには「画像不良解析モード−画像かすれ−設定内容」のタイトルが表示される。設定内容表示領域IIIはメッセージ領域Ｉとキー入力領域IIとの間に配置される。
【０１０２】
設定内容表示領域IIIには、上方から下方に向かって順に、「１．メッセージ：トレイ１にＰａｐｅｒＡ、Ａ３紙を入れてください。２．実行：パターンＡ出力、３．メッセージ：不良色を選択してください。４．判断（８分岐）：５−１メッセージ：不良発生ポイントを選択してください。６−１判断（３分岐）：６−１−１．実行：トナー・リフレッシュ実行、７−１−１．メッセージ：トレイ１にＰａｐｅｒＡ、Ａ３紙を入れてください。８−１−１．実行：パターンＡ出力、９−１−１．メッセージ：不良は解消されましたか？、１０−１−１．判断（２分岐）、１１−１−１−１：終了、１１−１−１−２：メッセージ：Ｙｅｌｌｏｗの現像剤を交換してください。１２−１−１−２：終了、６−１−２：実行：トナー・リフレッシュ実行、７−１−２．メッセージ：トレイ１にＰａｐｅｒＡ、Ａ３紙を入れてください。、８−１−２．実行：パターンＡ出力、９−１−２．メッセージ：不良は解消されましたか？、１０−１−１．判断（２分岐）、１１−１−１−１：終了、１１−１−１−２：メッセージ：Ｍａｇｅｎｔａの現像剤を交換してください。１２−１−１−２：終了・・・・・」が各々表示（記述）される。
【０１０３】
設定内容表示領域IIIの下方のキー入力領域IIには、「閉じる」のアイコンキーＫ３９が表示される。アイコンキーＫ３９を押下すると、登録設定内容確認画面Ｐ４１を閉じて、例えば、図示しないメニュー画面に戻るようになされる。これにより、画像不良解析選択時、登録設定内容確認画面Ｐ４１で「画像かすれ−画像不良解析設定内容」を確認できるようになる。
【０１０４】
続いて、図９〜図１６を参照しながら、カラー複写機１００における画像不良解析モード登録時の処理例について説明する。図９〜図１２は、画像不良解析登録例（その１〜４）、図１３〜図１５は、登録コード−画像不良解析手順の登録処理例（その１〜３）を各々示すフローチャートである。
【０１０５】
この例では、ユーザが表示パネル１８のアイコンキーやキー入力装置１６等を操作して、ＮＶＲＡＭ３３に対して画像不良解析に関する情報（以下画像不良解析プログラムＤＰｘという）を編集し、及び／又はそれを登録するようになされる。画像不良解析プログラムＤＰｘは登録コードＣＦに対応して登録する。この例では、画像不良解析の登録コードＣＦが８個（画像かすれ、濃度ムラ（縦）、濃度ムラ（横）、濃度傾き、筋ムラ（縦），筋ムラ（横）、黒／色ぽち、地肌かぶり）の場合であって、画像不良解析対象の項目番号が４個の場合を挙げて説明をする。
【０１０６】
これらを登録条件にして、図９に示すフローチャートのステップＡ１で図示しないメニュー選択画面で「画像不良解析モード登録メニュー」を選択すると、図５Ａに示した登録対象選択画面Ｐ１１が表示パネル１８に表示される。
【０１０７】
次に、ステップＡ２でＣＰＵ５５は登録対象（登録コードＣＦ）の選択を待機する。このとき、ユーザは、登録対象選択画面Ｐ１１で８個の登録対象となる、「画像かすれ」、「濃度ムラ（縦）」、「濃度ムラ（横）」、「濃度傾き」、「筋ムラ（縦）」、「筋ムラ（横）」、「黒／色ぽち」又は／及び「地肌かぶり」のアイコンキーＫ１１〜Ｋ１８を押下して登録コードＣＦを選択する。
【０１０８】
このとき、ユーザがアイコンキーＫ２０を押下すると、登録対象選択画面Ｐ１１から下位の画面、例えば、登録項目選択画面Ｐ１２へ表示が更新するようになされる。また、何らかの登録コードＣＦが選択された場合は、ステップＡ３に移行する。例えば、登録コードＣＦとして「画像かすれ」が選択された場合は、ステップＡ４に移行してＣＰＵ５５は表示パネル１８を制御して画像不良解析モード登録（画像かすれ）に係る登録項目選択画面Ｐ１２を表示する。その後、ステップＡ５に移行してＣＰＵ５５は画像かすれ解析手順の登録処理を実行する。
【０１０９】
例えば、図１３のサブルーチンをコールし、そのステップＢ１でＣＰＵ５５は、項目Ｎｏ．の選択の有無に基づいて制御を分岐する。このとき、ユーザは、図５Ｂに示した登録項目選択画面Ｐ１２で、アイコンキーＫ３１〜Ｋ３４のいずれかを選択して項目番号「１」〜「４」を選択するようになされる。
【０１１０】
項目Ｎｏ．の選択が有った場合は、ステップＢ２でＣＰＵ５５は表示パネル１８を制御して画面を更新する。項目Ｎｏ．の選択がなかった場合は、ステップＢ３に移行して、「ＯＫ」のアイコンキーＫ２８の押下の有無に基づいて制御を分岐する。アイコンキーＫ２８の押下が有った場合は、ステップＢ４に移行する。
【０１１１】
アイコンキーＫ２８の押下が無い場合は、ステップＢ１に戻って上述の処理を繰り返す。アイコンキーＫ２８が押下された場合は、ステップＢ６４移行して項目Ｎｏ．（番号）＝「１」が選択されたか、又はそれ以外のＮｏ．が選択されたかに応じて制御を分岐する。項目Ｎｏ．（番号）＝「１」が選択された場合は、ステップＢ５に移行して画像かすれ項目Ｎｏ．１の登録画面を表示する。
【０１１２】
また、ステップＢ４で番号＝「１」以外の項目Ｎｏ．が選択された場合は、ステップＢ６に移行して項目Ｎｏ．（番号）＝「２」が選択されたか、又はそれ以外のＮｏ．が選択されたかに応じて制御を分岐する。項目Ｎｏ．（番号）＝「２」が選択された場合は、ステップＢ７に移行して画像かすれ項目Ｎｏ．２の登録画面を表示する。例えば、図５Ｂに示した登録項目選択画面Ｐ１２で、ユーザが項目番号「２」のアイコンキーＫ２２を選択し、「選択」のアイコンキーＫ２５を押下している場合は、図６Ａに示した画像不良解析選択（項目２）画面Ｐ２１に表示が切り替わる。
【０１１３】
また、ステップＢ６で番号＝「１」及び「２」以外の項目Ｎｏ．が選択された場合は、ステップＢ８に移行して項目Ｎｏ．（番号）＝「３」が選択されたか、又はそれ以外のＮｏ．が選択されたかに応じて制御を分岐する。項目Ｎｏ．（番号）＝「３」が選択された場合は、ステップＢ９に移行して画像かすれ項目Ｎｏ．３の登録画面を表示する。
【０１１４】
なお、ステップＢ８で番号＝「１」、「２」及び「３」以外の項目Ｎｏ．、すなわち、項目Ｎｏ．（番号）＝「４」が選択された場合は、ステップＢ１０に移行して画像かすれ項目Ｎｏ．４の登録画面を表示する。
【０１１５】
その後、図１４に示すステップＢ１１に移行する。ステップＢ１１では、「種別」のアイコンキーＫ３５の選択有無に基づいて制御を分岐する。このとき、図６Ａに示した画像不良解析選択（項目２）画面Ｐ２１に「種別」のアイコンキーＫ３５が表示される。
【０１１６】
「種別」のアイコンキーＫ３５の選択が有った場合は、ステップＢ１２に移行して種別プルダウンメニュー項目の選択処理を実行する。図６Ａに示したアイコンキーＫ３５の下方の入力内容表示領域IIIａには、入力項目が表示される。入力項目としては、「プルダウンメニュー」の文字情報と共に、「１．実行、２．メッセージ、３．判断（２分岐）、４．判断（３分岐）・・・」が表示される。
【０１１７】
その後、ステップＢ２２に移行する。「種別」のアイコンキーＫ３５の選択が無い場合は、ステップＢ１３に移行して「動作モード」のアイコンキーＫ３６の選択有無に基づいて制御を分岐する。このとき、図６Ａに示した画像不良解析選択（項目２）画面Ｐ２１で「動作モード」のアイコンキーＫ３６が表示される。
【０１１８】
「動作モード」のアイコンキーＫ３６の選択が有った場合は、ステップＢ１４に移行して対象プルダウンメニュー項目の選択処理を実行する。このとき、アイコンキーＫ３６の下方の入力内容表示領域IIIｂには、入力項目が表示される。入力項目としては、「プルダウンメニュー」の文字情報と共に、「１．パターンＡ出力、２．Ｔリフレッシュ、３．Ｂリフレッシュ・・・」が表示される。その後、ステップＢ２２に移行する。
【０１１９】
上述のステップＢ１３で「動作モード」のアイコンキーＫ３６の選択が無い場合は、ステップＢ１５に移行して「メッセージ」のアイコンキーＫ２７の選択有無に基づいて制御を分岐する。図７Ａに示した画像不良解析選択（項目２）画面Ｐ３１には、「メッセージ」のアイコンキーＫ２７が表示される。
【０１２０】
「メッセージ」の選択が有った場合は、ステップＢ１６に移行して「メッセージ」のプルダウンメニュー項目の選択処理を実行する。アイコンキーＫ２７の下方には、入力項目が表示される。入力項目は、「プルダウンメニュー」の文字情報と共に、「メッセージ」が表示される。
【０１２１】
なお、ステップＢ１５で「メッセージ」のアイコンキーＫ２７の選択が無い場合は、ステップＢ１７に移行して「次工程」のアイコンキーＫ３７の選択有無に基づいて制御を分岐する。図６Ｂに示した画像不良解析選択（項目２）画面Ｐ３２には、「次工程１（ｙｅｓ）」のアイコンキーＫ３７１及び「次工程２（ｎｏ）」のアイコンキーＫ３７２が表示される。
【０１２２】
「次工程１（ｙｅｓ）」のアイコンキーＫ３７１の選択が有った場合は、ステップＢ１８に移行して「次工程１（ｙｅｓ）」のプルダウンメニュー項目の選択処理を実行する。アイコンキーＫ３７１の下方には、入力項目が表示される。入力項目は、「プルダウンメニュー」の文字情報と共に、「登録番号：−」が表示される。その後、ステップＢ２２に移行する。
【０１２３】
アイコンキーＫ３７１以外の選択、すなわち、図１５に示すステップＢ１９で「次工程２（ｎｏ）」のアイコンキーＫ３７２の選択が有った場合は、ステップＢ２０に移行して「次工程２（ｎｏ）」のプルダウンメニュー項目の選択処理を実行する。アイコンキーＫ３７２の下方には、入力項目が表示される。入力項目は、「プルダウンメニュー」の文字情報と共に、「登録番号：−」が表示される。その後、ステップＢ２２に移行する。アイコンキーＫ３７１及びＫ３７２以外の、図示しない他の次工程の選択処理については、ステップＢ２１に移行して、上述した処理がなされる。その説明は省略する。その後、ステップＢ２２に移行する。
【０１２４】
ステップＢ２２では、「ＯＫ」のアイコンキーＫ２８の押下有無に基づいて制御を分岐する。当該アイコンキーＫ２８が押下されない場合は、図１４に示すステップＢ１１に戻って、「種別」、「動作モード」、「メッセージ」及び「次工程」の選択処理を繰り返すようになされる。「ＯＫ」のアイコンキーＫ２８が押下された場合は、図９に示したメインルーチンのステップＡ５に戻る。そして、ステップＡ６に移行して画像かすれ不良解析の登録内容を表示する。図７Ｂには、画像かすれに係る画像不良解析内容登録画面Ｐ３２を示しており、図８には登録設定内容確認画面Ｐ４１を示している。
【０１２５】
上述のステップＡ３で「画像かすれ」以外が選択された場合は、ステップＡ７に移行して、「濃度ムラ（縦）」が選択された否かを判別する。登録コードＣＦとして「濃度ムラ（縦）」が選択された場合は、ステップＡ８に移行して「濃度ムラ（縦）」登録画面を表示する。その後、ステップＡ９に移行して「濃度ムラ（縦）」画像不良解析手順の登録処理を実行する（図１３〜図１５参照）。そして、図８に示したメインルーチンのステップＡ９に戻る。その後、ステップＡ１０に移行して「濃度ムラ（縦）」画像不良解析の登録内容を表示する（図７Ｂ及び図８参照）。
【０１２６】
また、ステップＡ７で「画像かすれ」及び「濃度ムラ（縦）」以外が選択された場合は、図１０に示すステップＡ１１に移行して、「濃度ムラ（横）」が選択された否かを判別する。登録コードＣＦとして「濃度ムラ（横）」が選択された場合は、ステップＡ１２に移行して「濃度ムラ（横）」登録画面を表示する。その後、ステップＡ１３に移行して「濃度ムラ（横）」画像不良解析手順の登録処理を実行する（図１３〜図１５参照）。そして、図９に示したメインルーチンのステップＡ１３に戻る。その後、ステップＡ１４に移行して「濃度ムラ（横）」画像不良解析の登録内容を表示する（図７Ｂ及び図８参照）。
【０１２７】
また、ステップＡ１１で「画像かすれ」、「濃度ムラ（縦）」及び「濃度ムラ（横）」以外が選択された場合は、ステップＡ１５に移行して、「濃度傾き」が選択された否かを判別する。登録コードＣＦとして「濃度傾き」が選択された場合は、ステップＡ１６に移行して「濃度傾き」登録画面を表示する。その後、ステップＡ１７に移行して「濃度傾き」画像不良解析手順の登録処理を実行する（図１３〜図１５参照）。そして、図９に示したメインルーチンのステップＡ１７に戻る。その後、ステップＡ１８に移行して「濃度傾き」画像不良解析の登録内容を表示する（図７Ｂ及び図８参照）。
【０１２８】
また、ステップＡ１５で「画像かすれ」、「濃度ムラ（縦）」、「濃度ムラ（横）」及び「濃度傾き」以外が選択された場合は、図１１に示すステップＡ１９に移行して、「筋ムラ（縦）」が選択された否かを判別する。登録コードＣＦとして「筋ムラ（縦）」が選択された場合は、ステップＡ２０に移行して「筋ムラ（縦）」登録画面を表示する。その後、ステップＡ２１に移行して「筋ムラ（縦）」画像不良解析手順の登録処理を実行する（図１３〜図１５参照）。そして、図１１に示したメインルーチンのステップＡ２１に戻る。その後、ステップＡ２２に移行して「筋ムラ（縦）」画像不良解析の登録内容を表示する（図７Ｂ及び図８参照）。
【０１２９】
また、ステップＡ１９で「画像かすれ」、「濃度ムラ（縦）」、「濃度ムラ（横）」、「濃度傾き」及び「筋ムラ（縦）」以外が選択された場合は、ステップＡ２３に移行して、「筋ムラ（横）」が選択された否かを判別する。登録コードＣＦとして「筋ムラ（横）」が選択された場合は、ステップＡ２４に移行して「筋ムラ（横）」登録画面を表示する。その後、ステップＡ２５に移行して「筋ムラ（横）」画像不良解析手順の登録処理を実行する（図１３〜図１５参照）。そして、図１１に示したメインルーチンのステップＡ２５に戻る。その後、ステップＡ２６に移行して「筋ムラ（横）」画像不良解析の登録内容を表示する（図７Ｂ及び図８参照）。
【０１３０】
更に、ステップＡ２３で「画像かすれ」、「濃度ムラ（縦）」、「濃度ムラ（横）」、「濃度傾き」、「筋ムラ（縦）」及び「筋ムラ（横）」以外が選択された場合は、図１２に示すステップＡ２７に移行して、「黒／色ぽち」が選択された否かを判別する。登録コードＣＦとして「黒／色ぽち」が選択された場合は、ステップＡ２８に移行して「黒／色ぽち」登録画面を表示する。その後、ステップＡ２９に移行して「黒／色ぽち」画像不良解析手順の登録処理を実行する（図１３〜図１５参照）。そして、図１２に示したメインルーチンのステップＡ２９に戻る。その後、ステップＡ３０に移行して「黒／色ぽち」画像不良解析の登録内容を表示する（図７Ｂ及び図８参照）。
【０１３１】
なお、ステップＡ２７で「画像かすれ」、「濃度ムラ（縦）」、「濃度ムラ（横）」、「濃度傾き」、「筋ムラ（縦）」、「筋ムラ（横）」及び「黒／色ぽち」以外の「地肌かぶり」が選択された場合は、ステップＡ３１に移行して、「地肌かぶり」登録画面を表示する。その後、ステップＡ３２に移行して「地肌かぶり」画像不良解析手順の登録処理を実行する（図１３〜図１５参照）。
【０１３２】
そして、図１２に示したメインルーチンのステップＡ３２に戻る。その後、ステップＡ３３に移行して「地肌かぶり」画像不良解析の登録内容を表示する（図７Ｂ及び図８参照）。このようにすると、８個（画像かすれ、濃度ムラ（縦）、濃度ムラ（横）、濃度傾き、筋ムラ（縦），筋ムラ（横）、黒／色ぽち、地肌かぶり）の登録コードＣＦについて、画像不良解析時の設定内容を登録できるようになる。
【０１３３】
このような画像不良解析時の設定内容はＮＶＲＡＭ３３に格納される。なお、「種別」、「動作モード」、「メッセージ」、「次工程」等の画像不良解析内容を含めた画像不良解析プログラムＤＰｘの格納先は、ＮＶＲＡＭ３３に限られることはなく、ＨＤＤ３２に格納してもよい。いずれの場合も、画像不良解析プログラムＤＰｘは、画像不良解析内容と登録コードＣＦとを対応付けて記憶される。このように、トラブルシュートの画像不良解析項目や、画像不良解析順序等が編集及び登録可能な構成とすることができるので、効率良いデバッグ処理を実行できるようになる。
【０１３４】
続いて、図１６〜図２３を参照しながら、カラー複写機１００における画像不良解析モード実行時の処理例について説明する。図１６Ａ及びＢは、画像不良内容選択画面Ｐ５１及び画像かすれ解析モード実行画面Ｐ５２の表示例を示す図である。
【０１３５】
図１６Ａに示す画像不良内容選択画面Ｐ５１は、図２に示した表示パネル１８において、図示しないメニュー選択画面で「画像不良解析実行メニュー」を選択すると、当該表示パネル１８に表示されるものである。表示パネル１８ではキー入力用のアイコンが表示される。各種アイコンキーは表示パネル１８のタッチパネルによって実現される。各種アイコンキーに関してはキー入力装置１６を使用してもよい。
【０１３６】
表示パネル１８において、画像不良内容選択画面Ｐ５１では、メッセージを表示する領域（以下メッセージ領域Ｉという）及びアイコンキーを表示する領域（以下キー入力領域IIという）が区分されて表示される。
【０１３７】
メッセージ領域Ｉには、例えば、「画像不良の内容を選択してください。」のメッセージが表示される。キー入力領域IIにおいて、画面の左側には、登録コード「画像かすれ」のアイコンキーＫ１１、登録コード「濃度ムラ（縦）」のアイコンキーＫ１２、登録コード「濃度ムラ（横）」のアイコンキーＫ１３、登録コード「濃度傾き」のアイコンキーＫ１４が表示され、その右側には、登録コード「筋ムラ（縦）」のアイコンキーＫ１５、登録コード「筋ムラ（横）」のアイコンキーＫ１６、登録コード「黒／色ぽち」のアイコンキーＫ１７、登録コード「地肌かぶり」の各々のアイコンキーＫ１８が表示される。
【０１３８】
これらのアイコンキーＫ１４やアイコンキーＫ１８の下方には、「前へ」のアイコンキーＫ１９及び「次へ」のアイコンキーＫ２０が表示される。アイコンキーＫ１９を押下（選択）すると、メニュー選択画面に表示が戻るようになされる。アイコンキーＫ２０を押下すると、画像不良内容選択画面Ｐ５１から下位の画面、例えば、画像かすれ解析モード実行画面Ｐ５２へ表示が更新するようになされる。
【０１３９】
アイコンキーＫ２０の右隣には、「キャンセル」のアイコンキーＫ２９が表示される。アイコンキーＫ２９を押下すると、画像不良内容選択画面Ｐ５１で選択した登録コードＣＦを非選択状態に戻すようになされる。これにより、画像不良解析登録時、画像不良内容選択画面Ｐ５１で登録コードＣＦを選択又は非選択できるようになる。ここで選択された登録コードＣＦは操作データＤ１６となってＣＰＵ５５に出力される。
【０１４０】
図１６Ｂに示す画像かすれ解析モード実行画面Ｐ５２は、図１６Ａに示した画像不良内容選択画面Ｐ５１で「次へ」のアイコンキーＫ２０を選択すると、当該表示パネル１８に表示されるものである。
【０１４１】
画像かすれ解析モード実行画面Ｐ５２では、そのメッセージ領域Ｉに、例えば、「画像かすれ解析モード」のタイトルが表示される。この例で、メッセージ領域Ｉとキー入力領域IIの間に、作業指示表示領域IIIが設けられる。作業指示表示領域IIIには、「トレイ１に紙種（ＰａｐｅｒＡ）、Ａ３紙を入れてください」のメッセージが表示される。ユーザは、作業指示に基づいて紙種（ＰａｐｅｒＡ）のＡ３紙をトレイ１にセットする。
【０１４２】
キー入力領域IIにおいて、画面の右下隅には、「次へ」のアイコンキーＫ２０が表示される。このように、画像不良解析モード実行時、画像かすれ解析モード実行画面Ｐ５２でユーザは、ＣＰＵ５５から用紙セットの作業指示を受けるようになされる。
【０１４３】
図１７Ａ及びＢは、画像かすれ色選択画面Ｐ６１及び不良発生ポイント選択画面Ｐ６２の表示例を示す図である。
【０１４４】
図１７Ａに示す画像かすれ色選択画面Ｐ６１は、図２に示した表示パネル１８において、図１６Ｂに示した画像かすれ解析モード実行画面Ｐ５２
で「次へ」のアイコンキーＫ２０が押下された場合に、当該表示パネル１８に表示されるものである。画像かすれ色選択画面Ｐ６１ではメッセージ領域Ｉに、例えば、「画像不良解析（画像かすれ）」のタイトルが表示される。作業指示表示領域IIIには、「不良発生している色を選択してください。」のメッセージが表示される。
【０１４５】
キー入力領域IIにおいて、画面の左側には、Ｙ色を示す「Ｙｅｌｌｏｗ」のアイコンキーＫ４１、Ｍ色を示す「Ｍａｇｅｎｔａ」のアイコンキーＫ４２、Ｃ色を示す「Ｃｙａｎ」のアイコンキーＫ４３、黒色を示す「Ｂｌａｃｋ」のアイコンキーＫ４４が表示され、その右側には、赤色を示す「Ｒｅｄ」のアイコンキーＫ４５、Ｇ色を示す「Ｇｒｅｅｎ」のアイコンキーＫ４６、Ｂ色を示す「Ｂｌｕｅ」のアイコンキーＫ４７、全ての色を示す「ＡＬＬ」のアイコンキーＫ４８が各々表示される。
【０１４６】
アイコンキーＫ４１を押下するとＹ色が選択される。アイコンキーＫ４２を押下すると、Ｍ色が選択される。アイコンキーＫ４３を押下すると、Ｃ色が選択され、アイコンキーＫ４４を押下すると、黒色が選択される。アイコンキーＫ４５を押下すると、赤色が選択される。アイコンキーＫ４６を押下すると、Ｇ色が選択される。アイコンキーＫ４７を押下すると、Ｂ色が選択される。アイコンキーＫ４８を押下すると、全ての色が選択される。アイコンキーＫ４１〜Ｋ４７は複数選択してもよい。
【０１４７】
画面の右下隅には、「次へ」のアイコンキーＫ２０が表示される。このように、画像不良解析実行時、画像かすれ色選択画面Ｐ６１でアイコンキーＫ４１〜Ｋ４８を押下することで画像かすれに係る色を指定できるようになる。
【０１４８】
図１７Ｂに示す不良発生ポイント選択画面Ｐ６２は、図１７Ａに示した画像かすれ色選択画面Ｐ６１で「次へ」のアイコンキーＫ２０を押下すると、当該表示パネル１８に表示されるものである。不良発生ポイント選択画面Ｐ６２では、そのメッセージ領域Ｉに、例えば、「画像不良解析（画像かすれ）」のタイトルが表示される。作業指示表示領域IIIには、「不良発生ポイントを選択してください。」のメッセージが表示される。
【０１４９】
作業指示表示領域IIIにはＡ３紙の表示領域が設けられる。Ａ３紙の表示領域は格子により区切られている。表示領域の上方は用紙先端側であり、その下方は用紙後端側であり、その左側は手前側であり、その右側は奥側である。格子上又は格子間の白抜き四角印は、不良発生ポイントの被選択位置である。ユーザは専用パターンに基づいてＡ３紙に画像形成出力された検査パターンを観察して不良発生ポイントを指定するようになされる。
【０１５０】
キー入力領域IIにおいて、画面の右下隅には、「戻る」のアイコンキーＫ４９が表示される。この例で、画像不良解析実行時、不良発生ポイント選択画面Ｐ６２でアイコンキーＫ４９を押下すると、不良発生ポイント選択画面Ｐ６２から画像かすれ色選択画面Ｐ６１へ戻るようになる。アイコンキーＫ４９の下方には、「次へ」のアイコンキーＫ２０が表示される。
【０１５１】
図１８Ａ及びＢは、トナーリフレッシュ動作中画面Ｐ７１及び画像かすれ解析モード実行画面Ｐ７２の表示例を示す図である。
【０１５２】
図１８Ａに示すトナーリフレッシュ動作中画面Ｐ７１は、図２に示した表示パネル１８において、図１７Ｂに示した不良発生ポイント選択画面Ｐ６２で「次へ」のアイコンキーＫ２０が押下された後に、当該表示パネル１８に表示されるものである。トナーリフレッシュ動作中画面Ｐ７１ではメッセージ領域Ｉに、例えば、「画像不良解析（画像かすれ）」のタイトルが表示される。作業指示表示領域IIIには、「トナーリフレッシュ動作中・・・」のメッセージが表示される。
【０１５３】
図１８Ｂに示す画像かすれ解析モード実行画面Ｐ７２は、例えば、図１８Ａに示したトナーリフレッシュ動作が画像形成部８０で終了すると、当該表示パネル１８に表示されるものである。
【０１５４】
画像かすれ解析モード実行画面Ｐ７２では、そのメッセージ領域Ｉに、例えば、「画像かすれ解析モード」のタイトルが表示される。この例で、メッセージ領域Ｉとキー入力領域IIの間に設けられた、作業指示表示領域IIIには、「トレイ１に紙種（ＰａｐｅｒＡ）、Ａ３紙を入れてください」のメッセージが表示される。ユーザは、作業指示に基づいて紙種（ＰａｐｅｒＡ）のＡ３紙をトレイ１にセットする。トナーリフレッシュ動作後の画像形成部８０の状態を把握するためである。
【０１５５】
キー入力領域IIにおいて、画面の右下隅には、「次へ」のアイコンキーＫ２０が表示される。このように、画像不良解析モード実行時、画像かすれ解析モード実行画面Ｐ７２でユーザは、トナーリフレッシュ動作後に、ＣＰＵ５５から用紙セットの作業指示を受けるようになされる。
【０１５６】
図１９Ａ及びＢは、画像不良解析結果画面Ｐ８１及び部品交換告知画面Ｐ８２の表示例を示す図である。
【０１５７】
図１９Ａに示す画像不良解析結果画面Ｐ８１は、図２に示した表示パネル１８において、図１８Ｂに示した画像不良解析中画面Ｐ６２で画像不良解析が終了した時点に、当該表示パネル１８に表示されるものである。画像不良解析結果画面Ｐ８１ではメッセージ領域Ｉに、例えば、「画像不良解析（画像かすれ）」のタイトルが表示される。この例で、メッセージ領域Ｉとキー入力領域IIの間に設けられた画像不良解析結果表示領域IVには、「不良は解消されましたか？」のメッセージが表示される。
【０１５８】
画像不良解析結果表示領域IVの下方には、「はい」のアイコンキーＫ５１及び「いいえ」のアイコンキーＫ５２が表示される。アイコンキーＫ５１を押下すると、画像不良解析モードを終了する。アイコンキーＫ５２を押下すると、次の項目に係る画像不良解析モードを継続する。このように、画像不良解析結果画面Ｐ８１で画像不良解析モードの実行結果を確認できるようになる。
【０１５９】
図１９Ｂに示す部品交換告知画面Ｐ８２は、図１９Ａに示した画像不良解析結果画面Ｐ７１で「いいえ」のアイコンキーＫ５２を押下すると、当該表示パネル１８に表示されるものである。部品交換告知画面Ｐ８２では、そのメッセージ領域Ｉに、例えば、「画像不良解析（画像かすれ）」のタイトルが表示される。画像不良解析結果表示領域IVには、「Ｍａｇｅｎｔａの現像剤を交換してください。」のメッセージが表示される。ユーザは、作業指示に基づいてＭａｇｅｎｔａの現像剤を現像ユニット４Ｍにセットするようになされる。
【０１６０】
なお、キー入力領域IIにおいて、画面の右下隅には、「ＯＫ」のアイコンキーＫ２８が表示される。この例で、画像不良解析モード実行時、部品交換告知画面Ｐ８２でアイコンキーＫ２８を押下し、Ｍａｇｅｎｔａの現像剤を現像ユニット４Ｍにセットすると、画像形成部８０（系）の問題を解決し正常状態に復旧できるようになる。
【０１６１】
図２０及び図２１はカラー複写機１００に係る画像不良解析モード実行時の処理例（その１、２）を示すフローチャート（メインルーチン）であり、図２２及び図２３は、画像かすれ解析モード実行時の処理例（その１、２）を各々示すフローチャート（サブルーチン）である。
【０１６２】
この例で、カラー複写機１００のＮＶＲＡＭ３３には、登録コードＣＦ及び画像不良解析プログラムＤＰｘが対応付けられて格納されている。画像解析データＤｘには画像不良解析手順が含まれている。画像不良内容選択画面Ｐ５１で予め登録された８個の画像不良対象（「画像かすれ」、「濃度ムラ（縦）」、「濃度ムラ（横）」、「濃度傾き」、「筋ムラ（縦）」、「筋ムラ（横）」及び「黒／色ぽち」以外の「地肌かぶり」）の中から画像不良解析対象を選択するようになされる。
【０１６３】
この例では、「画像かすれ」の画像不良解析対象に関して、画像不良解析対象には「全色」又は「特定色」、発生パターンには「ランダム」又は「筋状」、筋状には「縦筋」又は「横筋」が設定され、画像不良解析項目には「帯電極清掃指示」、「ドラム交換指示」、「現像剤交換指示」、「２次電流調整指示」及び「転写ベルト交換指示」の５つの項目が登録されている場合について説明をする。
【０１６４】
これらを画像不良解析モードを実行する条件にして、図２０に示すフローチャートのステップＣ１でＣＰＵ５５は、画像不良解析モード実行指示に基づいて制御を分岐する（登録１）。画像不良解析モード実行指示は、ユーザが図示しないメニュー選択画面で「画像不良解析実行メニュー」を選択すると、例えば、キー入力装置１６を操作して操作データＤ１６をＣＰＵ５５に出力することで行われる。
【０１６５】
ＣＰＵ５５は、操作データＤ１６を入力して、画像不良解析モード実行指示を受けると、ステップＣ２に移行して画像不良内容選択画面Ｐ５１を表示するように表示パネル１８を制御する。表示パネル１８は表示データＤ１８に基づいて画像不良内容選択画面Ｐ５１を表示する。このとき、図１６Ａに示した画像不良内容選択画面Ｐ５１には、「画像不良の内容を選択してください。」のメッセージが表示される（登録２）。
【０１６６】
次に、ＣＰＵ５５はステップＣ３で画像不良解析対象として「画像かすれ」が選択されたか又は、それ以外が選択されたかによって制御を分岐する。このとき、画像不良内容選択画面Ｐ５１でアイコンキーＫ１１が押下されると、登録コードＣＦ＝「画像かすれ」がＣＰＵ５５に出力される（登録３）。
【０１６７】
ＣＰＵ５５は、ステップＣ４に移行して登録コードＣＦ＝「画像かすれ」に基づいて画像かすれ解析モードを実行する（登録４）。例えば、図２２に示すフローチャート（サブルーチン）をコールして、そのステップＥ１で、ＣＰＵ５５は、登録コードＣＦ＝「画像かすれ」を設定する（登録５）。
【０１６８】
次に、ステップＥ２でＣＰＵ５５は登録コードＣＦ＝「画像かすれ」に基づいて表示パネル１８を制御する。表示パネル１８は、図１６Ｂに示した画像かすれ解析モード実行画面Ｐ５２を表示する。画像かすれ解析モード実行画面Ｐ５２には、「トレイ１に紙種（ＰａｐｅｒＡ）、Ａ３紙を入れてください」のメッセージが表示される。ユーザは、作業指示に基づいて紙種（ＰａｐｅｒＡ）のＡ３紙をトレイ１にセットする。
【０１６９】
このとき、ＣＰＵ５５は、画像処理部内の図示しない不揮発メモリから専用パターン用のパターンデータを読み出して画像形成部８０にセットする。画像形成部８０はＣＰＵ５５から作像制御信号Ｓ８１等を受けて、検査（専用）パターンを画像形成し出力する（登録６）。
【０１７０】
その後、ステップＥ３でＣＰＵ５５は画像不良の有無の判断に基づいて制御を分岐する。このとき、ユーザは、画像形成部８０から出力された検査パターンを観察して、画像不良の有無判断する。その結果をキー入力装置１６を操作し、又は表示パネル１８上の「次へ」のアイコンキーＫ２０等を操作してＣＰＵ５５に指示するようにしてもよい。ＣＰＵ５５は、アイコンキーＫ２０等を操作に基づいて表示パネル１８を制御し、画像かすれ解析モード実行画面Ｐ５２から図１７Ａに示した画像かすれ色選択画面Ｐ６１へ表示を切り替えるようになされる（登録７）。
【０１７１】
画像かすれ色選択画面Ｐ６１には、「不良発生している色を選択してください。」のメッセージが表示される。これと共に、画像かすれ色選択画面Ｐ６１には、「Ｙｅｌｌｏｗ」のアイコンキーＫ４１、「Ｍａｇｅｎｔａ」のアイコンキーＫ４２、「Ｃｙａｎ」のアイコンキーＫ４３、「Ｂｌａｃｋ」のアイコンキーＫ４４、「Ｒｅｄ」のアイコンキーＫ４５、「Ｇｒｅｅｎ」のアイコンキーＫ４６、「Ｂｌｕｅ」のアイコンキーＫ４７、「ＡＬＬ」のアイコンキーＫ４８が各々表示される。ユーザは、不良発生している色を選択して該当するアイコンキーＫ４１〜Ｋ４８を押下する。このとき、不良発生している色が複数有る場合は、二以上の色を選択する。
【０１７２】
この選択及び「次へ」のアイコンキーＫ２０の押下に基づいて、ステップＥ４に移行する。ＣＰＵ５５は画像かすれ色選択画面Ｐ６１から図１７Ｂに示した不良発生ポイント選択画面Ｐ６２へ表示を切り替えるように表示パネル１８を制御する。ＣＰＵ５５は、画像かすれが全色であるか、又は、特定色であるかの指示によって制御を分岐する。このとき、不良発生ポイント選択画面Ｐ６２には、「不良発生ポイントを選択してください。」のメッセージが表示される。ユーザはＡ３紙に画像形成出力された検査パターンを観察して不良発生ポイントを指定するようになされる（登録８）。
【０１７３】
画像かすれが特定色である旨を指定された場合は、ステップＥ５に移行して、ＣＰＵ５５は、発生パターンがランダムか筋状かで制御を分岐する。発生パターンがランダムか筋状かは、不良発生ポイント選択画面Ｐ６２上で指定される。発生パターンがランダムである場合、ＣＰＵ５５が、「次へ」のアイコンキーＫ２０の操作に基づいて不良発生ポイント選択画面Ｐ６２から図１８Ａに示したトナーリフレッシュ動作中画面Ｐ７１へ表示を切り替えるように表示パネル１８を制御する（登録９）。
【０１７４】
これと共に、ステップＥ６に移行して、ＣＰＵ５５は対象色のトナーリフレッシュ動作を実行する。このとき、図１８Ａに示したトナーリフレッシュ動作中画面Ｐ７１には、「トナーリフレッシュ動作中・・・」のメッセージが表示される。ＣＰＵ５５はトナーリフレッシュ動作後、ｎ枚の画像形成出力を準備（セット）する（登録１０）。ＣＰＵ５５はトナーリフレッシュ動作等が終了すると、ステップＥ１０に移行する。
【０１７５】
なお、上述のステップＥ５で発生パターンが筋状である場合は、ステップＥ７に移行して、ＣＰＵ５５は筋の方向が縦筋か横筋かで制御を分岐する（登録１１）。発生パターンの筋の方向が縦筋である場合はステップＥ８に移行して帯電極の清掃を指示する（登録１２）。その後、ステップＥ１０に移行する。上述のステップＥ７で筋の方向が横筋である場合は、ステップＥ９に移行して感光体ドラムの交換を指示する（登録１３）。その後、ステップＥ１０に移行する。
【０１７６】
ＣＰＵ５５はステップＥ１０で表示パネル１８を制御して確認画像を出力する。例えば、トナーリフレッシュ動作後、トナーリフレッシュ動作中画面Ｐ７１から画像かすれ解析モード実行画面Ｐ７２へ表示を切り替える。このとき、図１８Ｂに示した画像かすれ解析モード実行画面Ｐ７２には、「トレイ１に紙種（ＰａｐｅｒＡ）、Ａ３紙を入れてください」のメッセージが表示される。ユーザは、作業指示に基づいて紙種（ＰａｐｅｒＡ）のＡ３紙をトレイ１にセットする。トナーリフレッシュ動作後の画像形成部８０の状態を把握するためである（登録１４）。
【０１７７】
その後、ステップＥ１１に移行してＣＰＵ５５は、画像かすれ解消ＯＫか否かを確認するための画像不良解析結果画面Ｐ８１を表示するように表示パネル１８を制御する。このとき、図１９Ａに示した画像不良解析結果画面Ｐ８１には、「不良は解消されましたか？」のメッセージが表示される。「はい」のアイコンキーＫ５１が選択された場合（ＹＥＳ）は、画像不良解析処理を終了する（登録１５）。
【０１７８】
「いいえ」の場合（ＮＧ）は、画像不良解析結果画面Ｐ８１から部品交換告知画面Ｐ８２へ表示を切り替えるように表示パネル１８が制御される。そして、ステップＥ１２に移行して現像剤の交換を指示する。このとき、図１９Ｂに示した部品交換告知画面Ｐ８２には、例えば、「Ｍａｇｅｎｔａの現像剤を交換してください。」のメッセージが表示される。ユーザは、作業指示に基づいてＭａｇｅｎｔａの現像剤を現像ユニット４Ｍにセットするようになされる。これにより、画像かすれ解析モードの処理を終了する（登録１６）。
【０１７９】
なお、ステップＥ４でＣＰＵ５５は、画像かすれに関して全色が指示された場合は、図２３に示すステップＥ１３に移行する。ステップＥ１３では、２次転写電流の調整を指示する（登録１７）。その後、ステップＥ１４に移行して、ＣＰＵ５５はＯＫかＮＧかを確認する。ＯＫの場合は処理を終了する（登録１８）。ＮＧの場合はステップＥ１５に移行してベルトをリフレッシュ処理を実行する（登録１９）。
【０１８０】
その後、ステップＥ１６に移行して、ＯＫかＮＧかを確認する（登録２０）。ＯＫの場合は処理を終了する（登録２１）。ＮＧの場合はステップＥ１７に移行して、転写ベルトの交換を指示して、画像がすれ画像不良解析モードの処理を終了する（登録２２）。その後、メインルーチンのステップＣ４にリターンする。
【０１８１】
また、ＣＰＵ５５はステップＣ３で画像かすれ以外の画像不良解析対象が選択された場合は、ステップＣ５に移行して「濃度ムラ（縦）」が選択されたか、又はそれ以外が選択されたかによって制御を分岐する。このとき、画像不良内容選択画面Ｐ５１でアイコンキーＫ１２が押下されると、登録コードＣＦ＝「濃度ムラ（縦）」がＣＰＵ５５に出力される（登録２２）。ＣＰＵ５５は、ステップＣ６に移行して登録コードＣＦ＝「濃度ムラ（縦）」に基づいて濃度ムラ（縦）解析モードを実行する（登録２３）。
【０１８２】
ＣＰＵ５５はステップＣ５で画像かすれ及び濃度ムラ（縦）以外の画像不良解析対象が選択された場合は、図２１に示すステップＣ７に移行して「濃度ムラ（横）」が選択されたか、又はそれ以外が選択されたかによって制御を分岐する。このとき、画像不良内容選択画面Ｐ５１でアイコンキーＫ１３が押下されると、登録コードＣＦ＝「濃度ムラ（横）」がＣＰＵ５５に出力される（登録２４）。ＣＰＵ５５は、ステップＣ８に移行して登録コードＣＦ＝「濃度ムラ（横）」に基づいて濃度ムラ（横）解析モードを実行する（登録２５）。
【０１８３】
ＣＰＵ５５はステップＣ７で画像かすれ、濃度ムラ（縦）及び濃度ムラ（横）以外の画像不良解析対象が選択された場合は、ステップＣ９に移行して「濃度傾き」が選択されたか、又はそれ以外が選択されたかによって制御を分岐する。このとき、画像不良内容選択画面Ｐ５１でアイコンキーＫ１４が押下されると、登録コードＣＦ＝「濃度傾き」がＣＰＵ５５に出力される（登録２６）。ＣＰＵ５５は、ステップＣ１０に移行して登録コードＣＦ＝「濃度傾き」に基づいて濃度傾き解析モードを実行する（登録２７）。
【０１８４】
ＣＰＵ５５はステップＣ９で画像かすれ、濃度ムラ（縦）、濃度ムラ（横）及び濃度傾き以外の画像不良解析対象が選択された場合は、ステップＣ１１に移行して「筋ムラ（縦）」が選択されたか、又はそれ以外が選択されたかによって制御を分岐する。このとき、画像不良内容選択画面Ｐ５１でアイコンキーＫ１５が押下されると、登録コードＣＦ＝「筋ムラ（縦）」がＣＰＵ５５に出力される（登録２８）。ＣＰＵ５５は、ステップＣ１２に移行して登録コードＣＦ＝「筋ムラ（縦）」に基づいて筋ムラ（縦）解析モードを実行する（登録２９）。
【０１８５】
ＣＰＵ５５はステップＣ１１で画像かすれ、濃度ムラ（縦）、濃度ムラ（横）、濃度傾き及び筋ムラ（縦）以外の画像不良解析対象が選択された場合は、ステップＣ１３に移行して「筋ムラ（横）」が選択されたか、又はそれ以外が選択されたかによって制御を分岐する。このとき、画像不良内容選択画面Ｐ５１でアイコンキーＫ１６が押下されると、登録コードＣＦ＝「筋ムラ（横）」がＣＰＵ５５に出力される（登録３０）。ＣＰＵ５５は、ステップＣ１４に移行して登録コードＣＦ＝「筋ムラ（横）」に基づいて筋ムラ（横）解析モードを実行する（登録３１）。
【０１８６】
ＣＰＵ５５はステップＣ１３で画像かすれ、濃度ムラ（縦）、濃度ムラ（横）、濃度傾き、筋ムラ（縦）及び筋ムラ（横）以外の画像不良解析対象が選択された場合は、ステップＣ１５に移行して「黒／色ぽち」が選択されたか、又はそれ以外が選択されたかによって制御を分岐する。このとき、画像不良内容選択画面Ｐ５１でアイコンキーＫ１７が押下されると、登録コードＣＦ＝「黒／色ぽち」がＣＰＵ５５に出力される（登録３２）。ＣＰＵ５５は、ステップＣ１６に移行して登録コードＣＦ＝「黒／色ぽち」に基づいて黒／色ぽち解析モードを実行する（登録３３）。
【０１８７】
ＣＰＵ５５はステップＣ１５で画像かすれ、濃度ムラ（縦）、濃度ムラ（横）、濃度傾き、筋ムラ（縦）、筋ムラ（横）及び黒／色ぽち以外の画像不良解析対象、すなわち、「地肌かぶり」のアイコンキーＫ１８が押下されると、登録コードＣＦ＝「地肌かぶり」がＣＰＵ５５に出力される。ＣＰＵ５５は、登録コードＣＦ＝「地肌かぶり」に基づいて地肌かぶり解析モードを実行する（登録３４）。各々の画像不良解析モードの処理内容（登録２４〜登録３４）については画像かすれの処理内容を参考されたい。
【０１８８】
このように、実施形態としてのカラー複写機１００によれば、所定の用紙（Ａ３紙）に形成された画像の不具合を解析する場合に、ＮＶＲＡＭ３３には、予め画像不良解析モード実行時の解析対象に関する情報が複数登録されると共に、当該解析対象に各々対応する処理手順に関する情報が登録される。
【０１８９】
この例では、ユーザはキー入力装置１６及び表示パネル１８の各種アイコンキーＫ１１〜Ｋ２０、Ｋ２５，Ｋ２７〜Ｋ３８等を操作し、ＮＶＲＡＭ３３に対して、画像かすれ、濃度ムラ（縦）、濃度ムラ（横）、濃度傾き、筋ムラ（縦）、筋ムラ（横）及び黒／色ぽち、地肌かぶり等の画像不良解析プログラムＤＰｘに関する情報を編集及び／又は登録するようになされる。ＮＶＲＡＭ３３には画像不良解析モード実行時の登録コードＣＦと、画像不良解析プログラムＤＰｘと、処理手順に関する情報とが対応付けて記憶される。
【０１９０】
画像不良解析モード実行時、ＣＰＵ５５は、ＮＶＲＡＭ３３から画像不良解析プログラムＤＰｘ及び処理手順に関する情報を受けて画像形成部８０の問題解決復旧処理を実行するようになる。この例では、専用パターンに基づいてＡ３紙に画像を形成して検査パターンを出力するように画像形成部８０を制御するようになる。
【０１９１】
従って、画像不良解析モード実行時、当該装置主導で画像不良に関するトラブルシュートを実行できるようになる。これにより、画像不良解析モード実行後も、継続して、当該装置に合わせて編集及び登録された画像不良解析モードで当該装置の画像不良に関するトラブルシュートを実行できるようになる。
【０１９２】
この例では、画像不良内容選択画面Ｐ５１でユーザが画像不良の内容を選択する場合について説明したが、これに限られることはなく、画像不良を特定するための専用パターンを出力させ、それをスキャナ部１０２で読み取って、パターン認識により画像不良内容の特定を行ってもよい。
【０１９３】
例えば、ユーザは専用パターンをスキャナ部１０２にセットする。スキャナ部１０２は、専用パターンを読み取り、画像読取データをＣＰＵ５５に転送する。ＣＰＵ５５では、パターン認識により画像不良内容の特定を行う。この画像不良内容の特定によって、登録コードＣＦ＝「画像かすれ」等を設定できるようになる（自動認識解析設定処理）。
【０１９４】
特定できた不良内容に応じた作業フローをユーザに実行させることで、問題解決または不良箇所の特定を迅速に行えるようになる。しかも、作業者のレベルによらず、効率的に不良箇所を特定し、不具合を解決することができ、画像不良解析プログラムＤＰｘに基づく作業手順（フロー）に関しては、編集が可能なため、常に、最新の情報及び複写機本体（マシン）固有の特性に合わせた作業手順でトラブルシュートを実行できるようになる。
【産業上の利用可能性】
【０１９５】
この発明は、画像不良解析機能を備えたカラープリンタやカラー複写機、これらのカラー複合機等に適用して好適である。
【図面の簡単な説明】
【０１９６】
【図１】本発明に係る実施形態としてのカラー複写機１００の構成例を示す概念図である。
【図２】カラー複写機１００の制御系の内部構成例を示すブロック図である。
【図３】画像解析データＤｘの構成例を示すデータフォーマットである。
【図４】ＮＶＲＡＭ３３における画像解析データＤｘの格納例を示す図である。
【図５】（Ａ）及び（Ｂ）は、登録対象選択画面Ｐ１１及び登録項目選択画面Ｐ１２の表示例を示す図である。
【図６】（Ａ）及び（Ｂ）は、画像かすれの画像不良解析選択（項目２）画面Ｐ２１及びその画像不良解析内容入力画面Ｐ２２の表示例を示す図である。
【図７】（Ａ）及び（Ｂ）は、画像かすれの他の画像不良解析選択（項目２）画面Ｐ３１及び画像不良解析内容登録画面Ｐ３２の表示例を示す図である。
【図８】画像不良解析モード−画像かすれ−登録設定内容確認画面Ｐ４１の表示例を示す図である。
【図９】画像不良解析登録例（その１）を示すフローチャートである。
【図１０】画像不良解析登録例（その２）を示すフローチャートである。
【図１１】画像不良解析登録例（その３）を示すフローチャートである。
【図１２】画像不良解析登録例（その４）を示すフローチャートである。
【図１３】登録コード−画像不良解析手順の登録処理例（その１）を示すフローチャートである。
【図１４】登録コード−画像不良解析手順の登録処理例（その２）を示すフローチャートである。
【図１５】登録コード−画像不良解析手順の登録処理例（その３）を示すフローチャートである。
【図１６】（Ａ）及び（Ｂ）は、画像不良内容選択画面Ｐ５１及び画像かすれ解析モード実行画面Ｐ５２の表示例を示す図である。
【図１７】（Ａ）及び（Ｂ）は、画像かすれ色選択画面Ｐ６１及び不良発生ポイント選択画面Ｐ６２の表示例を示す図である。
【図１８】（Ａ）及びＢは、トナーリフレッシュ動作中画面Ｐ７１及び画像かすれ解析モード実行画面Ｐ７２の表示例を示す図である。
【図１９】（Ａ）及び（Ｂ）は、画像不良解析結果画面Ｐ８１及び部品交換告知画面Ｐ８２の表示例を示す図である。
【図２０】カラー複写機１００に係る画像不良解析モード実行時の処理例（その１）を示すフローチャート（メインルーチン）である。
【図２１】画像不良解析モード実行時の処理例（その２）を示すフローチャートである。
【図２２】画像かすれ解析モード実行時の処理例（その１）を示すフローチャート（サブルーチン）である。
【図２３】画像かすれ解析モード実行時の処理例（その２）を示すフローチャートである。
【符号の説明】
【０１９７】
１Ｙ，１Ｍ，１Ｃ，１Ｋ  感光体ドラム  
３Ｙ，３Ｍ，３Ｃ，３Ｋ  書込みユニット
４Ｙ，４Ｍ，４Ｃ，４Ｋ  現像ユニット
６  中間転写ベルト
１０Ｙ，１０Ｍ，１０Ｃ，１０Ｋ    画像形成ユニット（画像形成部）
１２Ａ，１２Ｂ  レジストセンサ
１５  制御部
１６  キー入力装置（入力部）
１８  表示パネル
３３  ＮＶＲＡＭ（記憶部）
５５  ＣＰＵ
８０  画像形成部
８１  作像ユニット
８２  作像駆動ユニット
８３  レーザユニット
８４  紙搬送ユニット
１００  カラー複写機
１０１  複写機本体
１０２  スキャナ部
２０１  自動原稿給紙装置
２０２  原稿画像走査露光装置
【図１】
2008058419.tif 000003
【図２】
2008058419.tif 000004
【図３】
2008058419.tif 000005
【図４】
2008058419.tif 000006
【図５】
2008058419.tif 000007
【図６】
2008058419.tif 000008
【図７】
2008058419.tif 000009
【図８】
2008058419.tif 000010
【図９】
2008058419.tif 000011
【図１０】
2008058419.tif 000012
【図１１】
2008058419.tif 000013
【図１２】
2008058419.tif 000014
【図１３】
2008058419.tif 000015
【図１４】
2008058419.tif 000016
【図１５】
2008058419.tif 000017
【図１６】
2008058419.tif 000018
【図１７】
2008058419.tif 000019
【図１８】
2008058419.tif 000020
【図１９】
2008058419.tif 000021
【図２０】
2008058419.tif 000022
【図２１】
2008058419.tif 000023
【図２２】
2008058419.tif 000024
【図２３】
2008058419.tif 000025